(57)【要約】【課題】ブラシに掻き取られた塵埃がブラシから離脱し易く、塵埃がダストボックスに入り易く、塵埃を溜める物の廃棄、交換に時間がかからず、フィルタ清掃装置の部品が無くなるようなことのない、空気調和機の室内ユニットを得ること。【解決手段】吸込口から吹出口に至る空気通路に、除塵用の板状フィルタ５、熱交換器及び送風ファンを配置した空気調和機の室内ユニット１００において、前記板状フィルタ５を板面に平行に移動させる駆動部１１ａと、前記板状フィルタ５の移動に伴って該板状フィルタ５に付着した塵埃を掻き取る清掃ブラシ１９と、前記板状フィルタ５から掻き取られて前記清掃ブラシ１９に付着した塵埃を剥ぎ取る剥ぎ取り部１２と、前記清掃ブラシ１９から剥ぎ取られて落下する塵埃を収容するダストボックス１７と、前記ダストボックス１７内に敷設され落下した塵埃を付着させる集塵シート３１と、を備える。【選択図】        図２
2008128620.tif 000002
【特許請求の範囲】
【請求項１】
吸込口から吹出口に至る空気通路に、除塵用の板状フィルタ、熱交換器及び送風ファンを配置した空気調和機の室内ユニットにおいて、
前記板状フィルタを板面に平行に移動させる駆動部と、
前記板状フィルタの移動に伴って該板状フィルタに付着した塵埃を掻き取る清掃ブラシと、
前記板状フィルタから掻き取られて前記清掃ブラシに付着した塵埃を剥ぎ取る剥ぎ取り部と、
前記清掃ブラシから剥ぎ取られて落下する塵埃を収容するダストボックスと、
前記ダストボックス内に敷設され落下した塵埃を付着させる集塵シートと、
を備えることを特徴とする空気調和機の室内ユニット。
【請求項２】
前記駆動部は、前記板状フィルタに設けられたラックと、該ラックに噛合って該ラックを駆動するピニオンとを備えることを特徴とする請求項１に記載の空気調和機の室内ユニット。
【請求項３】
前記ピニオンを駆動したとき、前記ラックが前記ピニオンから逃げないように、前記板状フィルタを押さえる押さえ部をさらに備えることを特徴とする請求項２に記載の空気調和機の室内ユニット。
【請求項４】
前記板状フィルタを前記清掃ブラシに押付けるように押圧する押圧部をさらに備えることを特徴とする請求項１に記載の空気調和機の室内ユニット。
【請求項５】
前記清掃ブラシは、ローラー形に形成され、前記板状フィルタに接触して該板状フィルタの移動に伴って回転し、塵埃を掻き取ることを特徴とする請求項１に記載の空気調和機の室内ユニット。
【請求項６】
前記清掃ブラシは、ブレーキ機構を備え、該ブレーキ機構の作動により前記板状フィルタの移動速度よりも遅い回転速度で回転して塵埃を掻き取ることを特徴とする請求項５に記載の空気調和機の室内ユニット。
【請求項７】
前記剥ぎ取り部は、前記清掃ブラシに接触する鉤状の剥ぎ取り部材と、該剥ぎ取り部材を前記清掃ブラシに押付ける押しばねとを備えることを特徴とする請求項１に記載の空気調和機の室内ユニット。
【請求項８】
前記ダストボックスは、前記集塵シートを着脱する開口部と、該開口部を開閉する開閉カバーとを備えることを特徴とする請求項１に記載の空気調和機の室内ユニット。
【請求項９】
前記開閉カバーは、揺動式又はスライド式の開閉カバーであることを特徴とする請求項８に記載の空気調和機の室内ユニット。
【請求項１０】
前記集塵シートは、複数の集塵シートを積層させた集塵シートパックとなっていることを特徴とする請求項１に記載の空気調和機の室内ユニット。
【請求項１１】
前記集塵シートは、集塵シートを袋状に貼り合わせ、塵埃収容口を形成するようにしたことを特徴とする請求項１に記載の空気調和機の室内ユニット。
【請求項１２】
前記集塵シートに、塵埃を付着させるための粘着剤を塗布したことを特徴とする請求項１に記載の空気調和機の室内ユニット。
【請求項１３】
前記集塵シートの端部を、前記ダストボックスの開口部から外へはみ出して敷設したことを特徴とする請求項１に記載の空気調和機の室内ユニット。
【発明の詳細な説明】
【技術分野】
【０００１】
本発明は、板状フィルタの清掃機構を備える空気調和機の室内ユニットに関するものである。
【背景技術】
【０００２】
従来、本体（筐体）に設けられた吸込口と吹出口とを結ぶ空気通路に、除塵用のフィルタと、送風ファンとを夫々配置してなる空気調和機（の室内ユニット）において、前記本体内に、前記フィルタを往復的に移動させるスライド手段（駆動部）と、前記フィルタの移動経路に沿って前記フィルタと接触するように配置され、前記フィルタの表面を清掃するブラシと、同ブラシを支持する支持部材（ダストボックス）からなるフィルタ清掃装置とを設けるとともに、前記支持部材に前記ブラシによって除去された塵埃を収容する容器（紙パック）を着脱自在に装着してなることを特徴とする空気調和機（の室内ユニット）が知られている（例えば、特許文献１参照）。
【０００３】
【特許文献１】特開２００４−３４７２４５号公報
【発明の開示】
【発明が解決しようとする課題】
【０００４】
しかしながら、上記従来の空気調和機の室内ユニットは、ブラシに掻き取られた塵埃がブラシから離脱し難い、という問題があった。また、塵埃を収容する紙パックがフィルタ及びブラシの上方に位置しているので、塵埃が紙パック内に入り難い、という問題があった。
【０００５】
また、塵埃を収容する紙パックが一杯になると、ダストボックスを空気調和機から取り外し、中の紙パックを廃棄し、新しい紙パックをダストボックスに装着し、ダストボックスを空気調和機に装着しなければならず、紙パックの廃棄、交換に時間がかかる、という問題があった。さらに、紙パックの廃棄、交換中にフィルタ清掃装置の部品が無くなり、空気調和機の品質を低下させてしまう、という問題もあった。
【０００６】
本発明は、上記に鑑みてなされたものであって、ブラシに掻き取られた塵埃がブラシから離脱し易く、塵埃がダストボックスに入り易く、塵埃を溜める物の廃棄、交換に時間がかからず、フィルタ清掃装置の部品が無くなるようなことのない、空気調和機の室内ユニットを得ることを目的とする。
【課題を解決するための手段】
【０００７】
上述した課題を解決し、目的を達成するために、本発明は、吸込口から吹出口に至る空気通路に、除塵用の板状フィルタ、熱交換器及び送風ファンを配置した空気調和機の室内ユニットにおいて、前記板状フィルタを板面に平行に移動させる駆動部と、前記板状フィルタの移動に伴って該板状フィルタに付着した塵埃を掻き取る清掃ブラシと、前記板状フィルタから掻き取られて前記清掃ブラシに付着した塵埃を剥ぎ取る剥ぎ取り部と、前記清掃ブラシから剥ぎ取られて落下する塵埃を収容するダストボックスと、前記ダストボックス内に敷設され落下した塵埃を付着させる集塵シートと、を備えることを特徴とする。
【発明の効果】
【０００８】
この発明によれば、ブラシに掻き取られた塵埃がブラシから離脱し易く、塵埃がダストボックスに入り易く、塵埃の廃棄に時間がかからず、廃棄中に部品が無くなるようなことがない空気調和機の室内ユニットが得られる、という効果を奏する。
【発明を実施するための最良の形態】
【０００９】
以下に、本発明にかかる空気調和機の室内ユニットの実施の形態を図面に基づいて詳細に説明する。なお、この実施の形態によりこの発明が限定されるものではない。
【００１０】
実施の形態１．
図１は、本発明にかかる空気調和機の室内ユニットの実施の形態１を示す断面図であり、図２は、本発明にかかる空気調和機の室内ユニットの実施の形態１を示す要部断面図であり、図３は、板状フィルタに付着した塵埃を掻き取っている状態を示す要部断面図であり、図４は、ダストボックス内に敷設した集塵シートを取り出している状態を示す要部断面図である。
【００１１】
図１に示すように、空気調和機の室内ユニット１００は、筺体１の上部に設置された上面パネル８に形成された格子状の吸込口２と、筺体１の下部に設けられた吹出口３と、吸込口２と吹出口３との間の筺体１に形成された空気通路４とを備えている。
【００１２】
空気通路４には、吸込口２側から順に、除塵用の板状フィルタ５、熱交換器７及び送風ファン６が配置されている。送風ファン６を回転駆動して、吸込口２から空気通路４内へ室内の空気を吸込み、板状フィルタ５で除塵し、熱交換器７で冷却又は加熱し、吹出口３から室内へ吹き出す。
【００１３】
空気調和機の室内ユニット１００は、吸込口２の直後に設置され円弧状に湾曲させた左右２枚の板状フィルタ５により、空気通路４を通る空気を除塵している。夫々の板状フィルタ５の裏面中央には、ピニオン２０と噛合うラック５ａが設けられている。
【００１４】
図示しない１台の駆動モータで夫々のピニオン２０を駆動し、夫々の板状フィルタ５を、板面に平行に、１枚ずつ前後方向に移動させ、板状フィルタ５の表面に付着した塵埃を清掃する。ピニオン２０及びラック５ａは、駆動部１１ａを構成している。
【００１５】
図１及び図２に示すように、筺体１の上部前側に、板状フィルタ５の表面に付着した塵埃を掻き取って除塵するための、水平の軸２１回りに回転するローラー形の清掃ブラシ１９が設置されている。清掃ブラシ１９は、筺体１に設けられた支持部２３に一端を支持された押しばね２２により付勢され、板状フィルタ５の表面に押付けられる。
【００１６】
押しばね２２の先端には、板状フィルタ５から掻き取られ清掃ブラシ１９に付着した塵埃を清掃ブラシ１９から剥ぎ取るための、鉤状の剥ぎ取り部材２４が取付けられ、剥ぎ取り部材２４の鉤部が、清掃ブラシ１９に接触して押しばね２２の付勢力を清掃ブラシ１９に伝達している。
【００１７】
剥ぎ取り部材２４を、清掃ブラシ１９方向に摺動自在に保持する保持部２５が、筺体１（ダストボックス１７）に設けられている。鉤状の剥ぎ取り部材２４、押しばね２２及び保持部２５は、剥ぎ取り部１２を構成している。
【００１８】
板状フィルタ５の裏面に接触し、板状フィルタ５を清掃ブラシ１９に押付けるように押圧する押圧部材２６が備えられている。押圧部材２６は、筺体１に設けられたベース部材２９に支持され、かつ、ガイド部材２８に摺動自在に保持された押しばね２７により付勢されている。ベース部材２９は、ピニオン２０をも保持している。
【００１９】
板状フィルタ５の表面側の筺体１には、前方に開口部１７ｂを有するダストボックス１７が設けられている。開口部１７ｂには、支軸３０ａに支持され開口部１７ｂを開閉する揺動式の開閉カバー３０が設けられている。
【００２０】
ダストボックス１７の後端部には、板状フィルタ５を表面側から押さえ、ピニオン２０に押付けるようにして逃げを防止する押さえ部１７ａが設けられている。ダストボックス１７内には、集塵シート３１を敷設する。
【００２１】
以上説明した駆動部１１ａ、押圧部材２６、押さえ部１７ａ、清掃ブラシ１９、剥ぎ取り部１２、ダストボックス１７、開閉カバー３０及び集塵シート３１等が、フィルタ清掃装置１１を構成している。
【００２２】
次に、図２を参照してフィルタ清掃装置１１の各部の作用について説明する。ラック５ａとピニオン２０とが噛合い、図示しない駆動モータの駆動により、板状フィルタ５が、図２に示す矢印Ｆ方向、矢印Ｇ方向（板面に平行）に往復移動する。
【００２３】
ラック５ａとピニオン２０とを噛合わせて板状フィルタ５を駆動するとき、板状フィルタ５（ラック５ａ）がピニオン２０から逃げるような分力が働くので、板状フィルタ５の逃げを防止するために、ダストボックス１７の突起部（押さえ部）１７ａを設けている。
【００２４】
ローラー形の清掃ブラシ１９が支軸２１を中心に回転する。清掃ブラシ１９は、押しばね２２に取付けられた鉤状の剥ぎ取り部材２４に押されて板状フィルタ５の表面に押付けられる。さらに、清掃ブラシ１９による塵埃の掻き取り性能を上げるため、板状フィルタ５の裏面に接触して板状フィルタ５を清掃ブラシ１９に押付けるための押圧部材２６を設け、押圧部材２６を押しばね２７により清掃ブラシ１９側に押圧する。
【００２５】
清掃ブラシ１９により板状フィルタ５表面の塵埃を掻き取り、清掃ブラシ１９に付着した塵埃を鉤状の剥ぎ取り部材２４で剥ぎ取り、剥ぎ取られて落下する塵埃をダストボックス１７に収容して溜める。実施の形態１の空気調和装置１００では、ダストボックス１７に直接、塵埃を溜めるのではなく、ダストボックス１７内に、塵埃を付着する集塵シート３１を敷設している。
【００２６】
次に、図２〜図４を参照して、板状フィルタ清掃装置１１の全体作用について説明する。図示しない駆動モータにより、ピニオン２０を図２の矢印Ａ方向に駆動すると、板状フィルタ５が矢印Ｆ方向に移動し、板状フィルタ５の移動に伴なって、清掃ブラシ１９が矢印Ｃ方向に回転する。
【００２７】
板状フィルタ５の移動速度と清掃ブラシ１９の回転速度が同一では、板状フィルタ５に付着している塵埃が、清掃ブラシ１９で掻き取り難いので、図示しないブレーキ機構により清掃ブラシ１９の回転にブレーキをかける。ブレーキにより清掃ブラシ１９の回転速度が遅くなると、板状フィルタ５に付着した塵埃が清掃ブラシ１９に効率よく掻き取られ、塵埃が清掃ブラシ１９に転写される。
【００２８】
清掃ブラシ１９に転写された塵埃３２は、鉤状の剥ぎ取り部材２４により剥ぎ取られ、下方（矢印Ｄ方向）に落下し、集塵シート３１の上面に付着する。剥ぎ取り部１２を設け、ダストボックス１７を剥ぎ取り部１２の下に設けたことにより、清掃ブラシ１９に転写された塵埃３２が効率よくダストボックス１７内に落下する。
【００２９】
図３に示すように、板状フィルタ５が移動限界まで移動して板状フィルタ５の清掃が完了した後、ピニオン２０を図３の矢印Ｂ方向に逆回転させ、板状フィルタ５を初期位置まで移動させる。このとき、図示しないブレーキ機構により清掃ブラシ１９の回転を止め、清掃ブラシ１９に残っている塵埃が板状フィルタ５へ逆転写されるのを防止する。
【００３０】
図４に示すように、集塵シート３１に塵埃３２が溜まってきたら、上面パネル８に支軸１０ａにより揺動可能に取り付けられた開閉パネル１０を開け、次に、ダストボックス１７の開閉カバー３０を開ける。
【００３１】
ダストボックス１７内に手を入れ、塵埃３２が付着している集塵シート３１を取り出し廃棄する。次に、新しい集塵シート３１をダストボックス１７内に敷設し、開閉カバー３０及び開閉パネル１０を閉じ、ダストボックス１７内に溜まった塵埃の清掃を完了する。
【００３２】
実施の形態２．
実施の形態１では、１枚の集塵シート３１をダストボックス１７内に敷設するようにしたが、実施の形態２では、集塵シート３１を複数枚積層させた集塵シートパック（図示せず）をダストボックス１７内に設置する。集塵シートパックをダストボックス１７内に設置すれば、塵埃３２が溜まった集塵シート３１を１枚ずつ廃棄すればよいので、新しい集塵シート３１をダストボックス１７内に敷設する手間が省ける。
【００３３】
実施の形態３．
図５は、本発明にかかる空気調和機の室内ユニットの実施の形態３を示す要部断面図であり、図６は、実施の形態３の集塵シート３３１を示す平面図である。
【００３４】
図５及び図６に示すように、実施の形態３の空気調和機３００は、２枚の集塵シートの三方の縁部３３１ａを袋状に貼り合わせ、一方を塵埃収容口３３１ｂとした袋状の集塵シート３３１を用いる。図５に示すように、塵埃収容口３３１ｂを清掃ブラシ１９側に開口させてダストボックス１７内に設置する。
【００３５】
集塵シートを袋状とし塵埃収容口３３1ｂを清掃ブラシ１９側に開口させることにより、清掃ブラシ１９により掻き取られて浮遊する塵埃３２が、ダストボックス１７の側壁に付着するのを防止することができ、塵埃３２を効率的に集塵することができる。
【００３６】
実施の形態４．
実施の形態４の空気調和機の室内ユニットでは、集塵シート３１、３３１の表面に粘着剤を塗布している。粘着剤により、集塵シート３１、３３１の表面から塵埃３２が剥がれ難くなり、集塵シート３１、３３１を廃棄するとき、塵埃３２をダストボックス１７内に落とすことが少なくなる。
【００３７】
実施の形態５．
図７は、本発明にかかる空気調和機の室内ユニットの実施の形態５を示す要部断面図である。実施の形態１〜４では、ダストボックス１７の開閉カバー３０を、支軸３０ａを支点として回動させて開閉しているが、実施の形態５の空気調和機５００では、図７に示すように、開閉カバーを、ロック機構付きのスライド式開閉カバー５３０としている。
【００３８】
フィルタ清掃装置１１により、板状フィルタ５を清掃しているときは、スライド式開閉カバー５３０の上部に設けた弾性フック部５３０ａをダストボックス１７に設けた凹部１７ｃに係合（ロック）させておく。この状態で、ダストボックス１７のカバー引込み部１７ｄ内に設置された引きばね３５が伸張された状態になっていて、スライド式開閉カバー５３０は、矢印Ｈ方向に付勢されている。
【００３９】
板状フィルタ５の清掃が終了し、ダストボックス１７内の集塵シート３１を廃棄するときは、スライド式開閉カバー５３０の弾性フック部５３０ａを手で押す。弾性フック部５３０ａとダストボックス１７の凹部１７ｃとの係合が外れ、引きばね３５の張力により、スライド式開閉カバー５３０が矢印Ｈ方向に移動してダストボックス１７の開口部が開き、集塵シート３１が取出し可能となる。
【００４０】
集塵シート３１を新しいものに交換した後、スライド式開閉カバー５３０の先端を摘んで下方へ引下げ、弾性フック部５３０ａをダストボックス１７の凹部１７ｃに係合させ、スライド式開閉カバー５３０を閉じた状態で保持する。
【００４１】
実施の形態６．
図８は、本発明にかかる空気調和機の室内ユニットの実施の形態６を示す要部断面図である。図８に示すように、実施の形態６の空気調和機６００では、集塵シート６３１の長さを実施の形態１〜５の集塵シート３１より長くし、ダストボックス１７内に敷設したとき、端部６３１ｃがダストボックス１７の開口部からはみ出るようにしている。集塵シート６３１を廃棄するときは、端部６３１ｃを摘み、ダストボックス１７から引出せばよいので、集塵シートの廃棄の作業性を向上させることが出来る。
【図面の簡単な説明】
【００４２】
【図１】本発明にかかる空気調和機の室内ユニットの実施の形態１を示す断面図である。
【図２】本発明にかかる空気調和機の室内ユニットの実施の形態１を示す要部断面図である。
【図３】板状フィルタに付着した塵埃を掻き取っている状態を示す要部断面図である。
【図４】ダストボックス内に敷設した集塵シートを取り出している状態を示す要部断面図である。
【図５】本発明にかかる空気調和機の室内ユニットの実施の形態３を示す要部断面図である。
【図６】実施の形態３の集塵シートを示す平面図である。
【図７】本発明にかかる空気調和機の室内ユニットの実施の形態５を示す要部断面図である。
【図８】本発明にかかる空気調和機の室内ユニットの実施の形態６を示す要部断面図である。
【符号の説明】
【００４３】
１  筺体
２  吸込口
３  吹出口
４  空気通路
５  板状フィルタ
５ａ  ラック
６  送風ファン
７  熱交換器
８  上面パネル
１０  開閉パネル
１０ａ  支軸
１１  フィルタ清掃装置
１１ａ  駆動部
１２  剥ぎ取り部
１７  ダストボックス
１７ａ  押さえ部
１７ｂ  開口部
１７ｃ  凹部
１７ｄ  カバー引込み部
１９  清掃ブラシ
２０  ピニオン
２１  軸
２２  押しばね
２３  支持部
２４  鉤状の剥ぎ取り部材
２５  保持部
２６  押圧部材
２７  押しばね
２８  ガイド部材
２９  ベース部材
３０  開閉カバー
３０ａ  支軸
３２  塵埃
３５  引きばね
３１，３３１，６３１  集塵シート
３３１ａ  縁部
３３１ｂ  塵埃収容口
６３１ｃ  端部
５３０  スライド式開閉カバー
５３０ａ  弾性フック部
【図１】
2008128620.tif 000003
【図２】
2008128620.tif 000004
【図３】
2008128620.tif 000005
【図４】
2008128620.tif 000006
【図５】
2008128620.tif 000007
【図６】
2008128620.tif 000008
【図７】
2008128620.tif 000009
【図８】
2008128620.tif 000010